(57)【要約】【課題】梱包作業が簡単で梱包材の使用量が少なく、リサイクル使用も可能で、組立セット毎のノックダウン梱包にも対応可能な梱包具及び梱包方法の提供を目的とする。【解決手段】仕切部材は、周囲に被梱包部材を収納するための収納凹部を複数形成し、且つ仕切部材に結束バンドを取り付けてあり、複数の被梱包部材を当該各収納凹部にそれぞれ収納後に結束バンドを用いて全体の外周を結束するものであることを特徴とする。【選択図】  図１
2009023718.tif 000002
【特許請求の範囲】
【請求項１】
仕切部材は、周囲に被梱包部材を収納するための収納凹部を複数形成し、且つ仕切部材に結束バンドを取り付けてあり、複数の被梱包部材を当該各収納凹部にそれぞれ収納後に結束バンドを用いて全体の外周を結束するものであることを特徴とする梱包具。
【請求項２】
仕切部材は、樹脂成形品、ゴム製、木製、紙製のいずれかであることを特徴とする請求項１記載の梱包具。
【請求項３】
仕切部材は、帯状又は棒状の素材を折り曲げて外周部に複数の収納凹部を形成したものであることを特徴とする請求項１記載の梱包具。
【請求項４】
被梱包部材は、押出形材製品であり、長手方向に所定の間隔を空けて、請求項１〜３のいずれかに記載の梱包具で結束するものであることを特徴とする押出形材製品の梱包方法。
【請求項５】
被梱包部材が組立サッシの１セット分であることを特徴とする請求項４記載の押出形材製品の梱包方法。
【発明の詳細な説明】
【技術分野】
【０００１】
本発明は、サッシや建材等の異形製品の梱包具に関する。
【背景技術】
【０００２】
住宅や建築物等の分野では、アルミ押出形材や樹脂押出形材等の異形形材を用いた製品を現地に梱包搬送し、現地では梱包をほどき、組立使用する場合が多い。
特にサッシの分野にあっては、ノックダウン方式を採用することが多くなっている。
この場合に従来の紙巻き梱包では梱包資材が使い捨てになり資源としての無駄が多いだけでなく紙巻き作業や巻戻し作業が大変でもあった。
【０００３】
特開２００１−２４０１４５号公報には、パットの上面に上向凹部、下面に下向凹部、コーナー部に切欠部を形成したサッシ形材運搬用パットを開示する。
しかし、このパットの凹部に複数の框を支持したサッシ枠の束を段ボール箱で梱包するものであるために段ボール箱のリサイクルが困難であるのみならず段ボール箱詰め作業に大きな工数を要する問題がある。
【０００４】
【特許文献１】特開２００１−２４０１４５号公報
【発明の開示】
【発明が解決しようとする課題】
【０００５】
本発明は、梱包作業が簡単で梱包資材の使用量が少なく、リサイクル使用も可能で、組立セット毎のノックダウン梱包にも対応可能な梱包具及び梱包方法の提供を目的とする。
【課題を解決するための手段】
【０００６】
本発明に係る梱包具において、仕切部材は、周囲に被梱包部材を収納するための収納凹部を複数形成し、且つ仕切部材に結束バンドを取り付けてあり、複数の被梱包部材を当該各収納凹部にそれぞれ収納後に結束バンドを用いて全体の外周を結束するものであることを特徴とする。
【０００７】
仕切部材は、被梱包部材の側部を嵌め込む収納凹部が形成できればよく、１〜５ｃｍ程度の幅（厚み）の薄いものでよい。
仕切部材の材質は、ウレタン発泡材等の樹脂成形品でもよく、ゴム製、木製、及び段ボール紙等の紙製でもよい。
【０００８】
仕切部材は板状のプレートの一部を矩形形状に切り欠いて被梱包部材の収納凹部を形成してもよいが、帯状の金属板や樹脂板あるいは、金属棒、樹脂棒を一文字状に折り曲げて、収納凹部を形成してもよい。
なお、金属製の板材や棒材を用いた場合には外周を軟質樹脂やゴムで被覆してあると被梱包部材への傷防止になる。
【０００９】
本発明に係る梱包具は、収納凹部に嵌め込み収納できるものであれば各種製品の梱包に用いることができるが、特にアルミ押出形材製品や樹脂押出形材製品等の長尺異形製品の梱包に適していて、製品の長さに合せて両端の２箇所あるいは所定の間隔を空けて３〜４箇所を上記梱包具を用いて結束することができる。
【００１０】
例えば組み立てるとサッシ枠になる上框、下框、縦框等の形材部品を一セットにして梱包すると現地にて一梱包毎に組み立てやすく、いわゆるノックダウン商品にも対応できる。
この場合に形状の長さが異なっても短い形材の両端と長い形材の飛び出した部分の端部に本発明に係る梱包具を使用することで対応できる。
また、ここで一セットとはサッシ枠を例に挙げると内枠一セット、外枠一セット、あるいは窓枠全体を一セットにしてもよく、窓枠は固定サッシ、引違いサッシ等組立単位大小は問わない。
【発明の効果】
【００１１】
本発明に係る梱包具においては、薄い仕切部材の周囲の収納凹部に形材製品の側部を嵌め込み、仕切部材に取り付けてある結束バンドにて形材の束の全周に巻き付けて結束できるので梱包作業が簡単であり、梱包資材の低減にも効果があり、梱包費用が大幅に低減でき、ノックダウン商品にも使用可能である。
また、梱包具は回収して繰り返し使用できる点で環境にやさしく、省資源に寄与する。
【発明を実施するための最良の形態】
【００１２】
本発明に係る梱包具の構造例及び梱包方法について、図に基づいて具体的に説明する。
図１（ａ）は梱包に用いる前の梱包具１０の例を示し、図１（ｂ）はサッシの部品であるアルミ押出形材製品１〜５を梱包した状態を示す。
なお、図１（ｂ）に示したサッシ部品はアルミ押出形材と樹脂押出形材との複合サッシ用框の例であるが、梱包する対象製品はこれに限定されない。
図２は例として梱包具１０を３つ用いて、サッシ部品を梱包した場合の側面図を示す。
【００１３】
梱包具１０は仕切部材１１のベース部１６に結束バンド１２を取り付け固定してある。
仕切部材１１には被梱包部材を嵌め込むための収納凹部１５ａ〜１５ｅを形成してある。
収納凹部の形成方法は図１に限定されるものではなく、被梱包部材の形状に合せて、上向きに開口させた収納凹部１５ｃ、コーナー部を切り欠くように設けた収納凹部１５ａ、スリット状に切り欠いて設けた収納凹部１５ｂ、仕切部材１１の側部に設けた収納凹部１５ｄ、１５ｅを例として示してある。
それぞれの収納凹部に被梱包部材１〜５を嵌め込み、その外周を巻くように結束バンドで固定した状態が図１（ｂ）である。
１つの収納凹部に１つの製品を収納してもよいが３及び３ａのように２つの製品を収納してもよい。
結束バンド１２はベルト状であり、樹脂バンドやゴムバンドになっていて、一方の端部にパイル状の係止部１３を形成し、他方の端部にカール状の被係止部１４を形成してあり、被梱包部材の束の外周を締め付けるようにして係止部１３と被係止部１４を重ね合せ係止する。
このようにして、製品の長手方向３箇所にて結束したのが図２に示す例である。
【００１４】
梱包する対象製品は収納凹部に嵌め込む方式になっているので小物製品、矩形製品でもよいがアルミ押出形材製品や樹脂押形材製品を梱包した例が図２に示した例である。
例えばアルミサッシ枠を構成する一セット分の框類を梱包できるように収納凹部の形状及び数を設けるとノックダウンとしてのサッシ枠が梱包できて、現地で梱包をほどき、サッシ枠を組み立てた後には、この梱包具１０を回収し、再利用できる。
本発明に係る梱包具１０は仕切部材１１と結束バンド１２が予め一体になっているので回収しやすく、また、廃棄する資材もないので省資源、省力化に大きく貢献できる。
【００１５】
仕切部材１１は発泡ウレタン等の樹脂成形品を用いることで被梱包部材を弾力的に嵌め込み傷が付きにくい構造にすることができる。
また、仕切部材１１は射出成形、押出材からの切り出し等の他に複数の部材を接合して形成してもよい。
図３は収納凹部内面に柔らかい樹脂膜やゴム膜をコーティング（２０）して被梱包部材とソフトタッチになるようにして搬送時のこすれによる傷防止を図った仕切部材１１ａの例である。
【００１６】
図４は仕切部材１１の周囲に伸縮性の保持バンド２１を設けた例を示す。
伸び縮みの大きいゴム性等の保持バンド２１を押し込むようにして被梱包部材を収納凹部に嵌め込み、外周を結束バンド１２で固定すると収納凹部内側と被梱包部材とでこの保持バンド２１を挟み込むようにして梱包されるので、適度な保持力と摩擦力で被梱包部材の表面を保護することになる。
これにより運搬時の振動を吸収し、製品に傷がつきにくい。
【００１７】
図５は金属製又は樹脂製の板材を折り曲げて外周部に収納凹部を形成した仕切部材１１ｂの例を示す。
板材が金属製である場合には、樹脂やゴムで被覆層２２を形成するのが製品の傷付き防止になる。
また、図６に示したように帯状の板材を折り曲げて仕切部材１１ｂを形成し、その周囲に伸縮バンド２１を取り付けて、この伸縮バンド２１を製品で挟み込むように梱包してもよい。
【００１８】
図７は金属棒１１ｃに樹脂チューブ２３を被覆した線材を折り曲げて仕切部材を形成した例を示す。
図８はフェルト材１１ｄを縫合又は接合して製作した梱包具の例を示す。
【図面の簡単な説明】
【００１９】
【図１】本発明に係る梱包具の構造例を示す。
【図２】サッシ枠を構成する框を梱包した例を示す。
【図３】収納凹部内面をコーティングした例を示す。
【図４】仕切部材の周囲に伸縮バンドを取り付けた例を示す。
【図５】仕切部材を板材で形成した例を示す。
【図６】板材で形成した仕切部材に伸縮バンドを取り付けた例を示す。
【図７】棒材で仕切部材を製作した例を示す。
【図８】フェルト材を重ね合せて製作した仕切部材の例を示す。
【符号の説明】
【００２０】
１０      梱包具
１１      仕切部材
１２      結束バンド
１３      係止部
１４      被係止部
１６      ベース部
【図１】
2009023718.tif 000003
【図２】
2009023718.tif 000004
【図３】
2009023718.tif 000005
【図４】
2009023718.tif 000006
【図５】
2009023718.tif 000007
【図６】
2009023718.tif 000008
【図７】
2009023718.tif 000009
【図８】
2009023718.tif 000010